(57)【要約】      （修正有）【課題】降雨時に雨を外側に誘導することができるとともに、設置場所に応じて効率的な排気を選択することができるエアコンの室外機用カバーを提供する。【解決手段】エアコンの室外機の周囲に配置可能な囲い枠と、囲い枠の正面に組み付け可能な上部ルーバー部材３０と、上部ルーバー部材３０の下方において、囲い枠の正面に組み付け可能な風向ルーバー部材３５、３６と、を備え、上部ルーバー部材３０は、降雨時に雨を外側に誘導するように傾斜した上部ルーバー３２を備える。また、上部ルーバー３２の下方において室外機５０からの排気を上方または下方のいずれかに誘導するように傾斜した複数の風向ルーバー３８を備え、風向ルーバー部材３５，３６は、左右または天地を入れ替えて縦枠１２に組み付けることで、風向ルーバー３８による排気の誘導方向を切り替え可能に構成されている。【選択図】図３
0003219089.tif 000002
【実用新案登録請求の範囲】
【請求項１】
エアコンの室外機の周囲に配置可能な囲い枠と、
前記囲い枠の正面に組み付け可能な上部ルーバー部材と、
前記上部ルーバー部材の下方において、前記囲い枠の正面に組み付け可能な風向ルーバー部材と、
を備え、
前記上部ルーバー部材は、降雨時に雨を外側に誘導するように傾斜した上部ルーバーを備え、
前記風向ルーバー部材は、前記上部ルーバーの下方において室外機からの排気を上方または下方のいずれかに誘導するように傾斜した複数の風向ルーバーを備え、
前記風向ルーバー部材は、左右または天地を入れ替えて前記縦枠に組み付けることで、前記風向ルーバーによる排気の誘導方向を切り替え可能に構成されていることを特徴とする、エアコンの室外機用カバー。
【請求項２】
前記風向ルーバー部材は、前記縦枠に組付けられる一対の取付部と、前記取付部の間に架設された複数の前記風向ルーバーと、を備えることを特徴とする、請求項１記載のエアコンの室外機用カバー。
【請求項３】
前記上部ルーバーおよび前記風向ルーバーは、すべて同一形状で形成されるとともに、互いに一定の間隔で配設されていることを特徴とする、請求項１または２記載のエアコンの室外機用カバー。
【考案の詳細な説明】
【技術分野】
【０００１】
この考案は、エアコンの室外機を囲って設置される、組み立て式のエアコンの室外機用カバーに関する。
【背景技術】
【０００２】
一般に、エアコンの室外機は、戸建住宅や集合住宅の外壁に添って設置されている。例えば集合住宅では、ベランダに設けられている例が多い。ベランダは洗濯物を干したり、野菜や花を育てたりする貴重なスペースであるが、室外機を設置するとそのスペースの一部が使用できなくなってしまう。室外機の上方のスペースは使用可能であるが、室外機の上面に洗濯物を載せるなどの行為は、室外機の排気・放熱用のファンや熱交換器の一部を覆うことになり、エアコンの故障の原因となる。
そこで、室外機の上方のスペースを有効利用するため、室外機を枠で囲い、その上に物を置く天板や棚を設けた室外機用カバーが実用に供されている。
【０００３】
こうした室外機用カバーの前面には、室外機からの排気を外部に逃がすルーバーが複数個設けられているものがある。こうした複数のルーバーは、雨除けのために外部に向かって下向きに配置されている（例えば特許文献１および２参照）。このようにルーバーを外部に向かって下向きに配置することで、降雨時に雨が室外機用カバーの内側に案内されないので、室外機のファンが雨に濡れて汚損されることを防止できる。
【先行技術文献】
【特許文献】
【０００４】
【特許文献１】特開平１０−５４５８７号公報
【特許文献２】特許第６０５０８７８号公報
【考案の概要】
【考案が解決しようとする課題】
【０００５】
しかし、室外機用カバーのルーバーが外部に向かって下向きになっていると、室外機からの排気が下向きに排出されることになる。室外機が戸建住宅のように開放空間に設置されている場合には排気が下向きであっても問題ないが、室外機が集合住宅のベランダなどのような狭い空間に設置されている場合には、室外機から排出された下向き排気がベランダなどの壁で遮られて床付近にたまりやすい。特に夏季においては、熱を伴って排出された排気が床付近に滞留し、しかもこの滞留した排気が直射日光や外気温で熱せられるため、室外機付近の温度が上昇するという問題があった。室外機付近の温度が上昇すると、排気や放熱の効率が低下したり、室外機のセンサーによって異常（オーバーヒート）と判断されてパワーダウンする制御が実行されたりといった不都合が生じるおそれがある。
【０００６】
そこで、本考案は、降雨時に雨を外側に誘導することができるとともに、設置場所に応じて効率的な排気を選択することができるエアコンの室外機用カバーを提供することを課題とする。
【課題を解決するための手段】
【０００７】
本考案は、上記した課題を解決するためになされたものであり、エアコンの室外機の周囲に配置可能な囲い枠と、前記囲い枠の正面に組み付け可能な上部ルーバー部材と、前記上部ルーバー部材の下方において、前記囲い枠の正面に組み付け可能な風向ルーバー部材と、を備え、前記上部ルーバー部材は、降雨時に雨を外側に誘導するように傾斜した上部ルーバーを備え、前記風向ルーバー部材は、前記上部ルーバーの下方において室外機からの排気を上方または下方のいずれかに誘導するように傾斜した複数の風向ルーバーを備え、前記風向ルーバー部材は、左右または天地を入れ替えて前記縦枠に組み付けることで、前記風向ルーバーによる排気の誘導方向を切り替え可能に構成されていることを特徴とする。
【考案の効果】
【０００８】
本考案は上記の通りであり、降雨時に雨を外側に誘導するように傾斜した上部ルーバーを備える。すなわち、風向ルーバーよりも上部に設けられた上部ルーバーによって、降雨時に雨が室外機用カバーの内側に案内されないので、室外機のファンが雨に濡れて汚損されることを防止できる。
【０００９】
また、風向ルーバー部材は、上部ルーバーの下方において室外機からの排気を上方または下方のいずれかに誘導するように傾斜した複数の風向ルーバーを備え、風向ルーバー部材は、左右または天地を入れ替えて縦枠に組み付けることで、風向ルーバーによる排気の誘導方向を切り替え可能に構成されている。このため、例えば室外機が戸建住宅のように開放空間に設置されている場合には、室外機からの排気を下方に誘導するように風向ルーバーを配置することができる。また、例えば室外機が集合住宅のベランダなどのような狭い空間に設置されている場合には、室外機からの排気を上方に誘導するように風向ルーバーを配置し、ベランダに排気が滞留しないようにすることができる。このように、本考案に係るエアコンの室外機用カバーによれば、設置場所に応じて効率的な排気を選択することができる。
【００１０】
また、風向ルーバー部材は、縦枠に組付けられる一対の取付部と、取付部の間に架設された複数の風向ルーバーと、を備えるようにしてもよい。このような構成によれば、１つの風向ルーバー部材に複数の風向ルーバーが設けられているので、風向ルーバー部材の組み付け作業を簡便にすることができる。
【００１１】
また、上部ルーバーおよび風向ルーバーは、すべて同一形状で形成されるとともに、互いに一定の間隔で配設されていてもよい。このような構成によれば、機能の異なる２種類のルーバーが、外観上は区別されずに整然と配置されるので、すっきりとした外観を保つことができる。
【図面の簡単な説明】
【００１２】
【図１】室外機用カバーの外観斜視図である。
【図２】（ａ）室外機用カバーの正面図、（ｂ）室外機用カバーの背面図である。
【図３】室外機用カバーで室外機を覆った状態の正面図である。
【図４】室外機用カバーの分解斜視図である。
【図５】（ａ）縦枠および補強材の斜視図、（ｂ）支持部材の斜視図、（ｃ）天板の斜視図である。
【図６】（ａ）上部ルーバー部材の斜視図、（ｂ）第１風向ルーバー部材の斜視図、（ｃ）第２風向ルーバー部材の斜視図である。
【図７】室外機からの排気を上方に誘導するように風向ルーバー部材を組み付けた状態を説明する図（図２（ａ）に示すＡ−Ａ’線端面）である。
【図８】室外機からの排気を下方に誘導するように風向ルーバー部材を組み付けた状態を説明する図（図２（ａ）に示すＡ−Ａ’線端面）である。
【考案を実施するための形態】
【００１３】
本考案の実施形態について、図を参照しつつ説明する。
本実施形態に係る室外機用カバー１０は、図３に示すように、エアコンの室外機５０を囲うように設置される組み立て式のカバーである。この室外機用カバー１０は、図１および図２に示すように、囲い枠１１と、上部ルーバー部材３０と、風向ルーバー部材３５，３６と、を備えて構成される。
【００１４】
囲い枠１１は、エアコンの室外機５０の周囲に配置可能な棚状のフレームである。この囲い枠１１は、図４に示すように、４本の縦枠１２と、補強材２０と、支持部材２５と、天板２９と、を備えており、これらの部材をネジなどの固定具で連結することで構成されている。
【００１５】
縦枠１２は、室外機５０の周囲に立設する棒状の部材であり、地面に垂直に設置される。この縦枠１２は、上端部において後述する天板２９を支持するようになっている。
【００１６】
本実施形態に係る縦枠１２は、図５（ａ）に示すように、外側部１３と内側部１４との２本の金属部材を溶接して構成されている。外側部１３は、断面Ｌ字形の長尺材であり、金属板を屈折して形成されている。また、内側部１４も、金属板を屈折して形成された断面Ｌ字形の長尺材であるが、外側部１３よりもＬ字形が小さくなるように構成されている。外側部１３と内側部１４とは、互いの内角が対向するように溶接されており、これにより、外側部１３の内側に隠れるように内側部１４が固定されている。
【００１７】
この縦枠１２は、内側部１４が室外機５０側に臨むように組み立てられ、言い換えると、外側部１３が外部に臨むように組み立てられる。内側部１４は、外側部１３の内側において後述する補強材２０やルーバー部材を取り付けるために設けられている。
【００１８】
また、縦枠１２の下端には、脚部１５が取り付けられている。この脚部１５は、縦枠１２の接地面積を確保するとともに、脚部１５の高さを揃えるためのものである。この脚部１５は、例えば、樹脂製の接地部と、接地部から上方に突出して設けられた軸部と、を備え、軸部を縦枠１２の下端にねじ込むことで縦枠１２に取り付け可能となっている。
【００１９】
補強材２０は、一対の縦枠１２を固定して囲い枠１１の強度を向上させるための部材である。本実施形態に係る補強材２０は、図５（ａ）に示すように、両端部に設けられた固定部２１と、固定部２１の間に設けられた長尺の板状の架橋部２２と、を備えている。固定部２１は、架橋部２２の長手方向に対して垂直な金属製の板状部材であり、架橋部２２の両端部にネジなどで固定されている。
【００２０】
この補強材２０は、両端の２つの固定部２１を、それぞれ一対の縦枠１２の内側部１４にネジなどの固定具で固定することで、一対の縦枠１２を結合する。本実施形態に係る室外機用カバー１０においては、この補強材２０は４本使用されており、室外機用カバー１０の左側と右側とで一対の縦枠１２を結合している。具体的には、左側の一対の縦枠１２を上下２本の補強材２０によって結合し、同様に、右側の一対の縦枠１２を上下２本の補強材２０によって結合している。
【００２１】
支持部材２５は、縦枠１２の上端付近に固定されて、天板２９を支持するための部材である。この支持部材２５は、図５（ｂ）に示すように、略直角三角形状のプレート部２６と、プレート部２６の直角を挟む２辺を屈折して形成された２つ支持部２７と、を備える。２つの支持部２７は、プレート部２６および他方の支持部２７に対して直角な面を備えている。そして、一方の支持部２７は縦枠１２の内側部１４にネジなどで固定され、他方の支持部２７は天板２９の下面にネジなどで固定される。本実施形態においては、図４に示すように、後側（ルーバーが設けられていない側）の２本の縦枠１２に、それぞれ支持部材２５が取り付けられている。本実施形態においては、支持部材２５の上面が、縦枠１２の内側部１４の上端面と同じ高さとなるように配置されている。
【００２２】
天板２９は、図５（ｃ）に示すように、縦枠１２の上端付近に固定される板状部材である。なお、天板２９は、一枚板で形成されていてもよいし、複数の部材が組み合わされて板状部材が形成されていてもよい。この天板２９は、縦枠１２の内側部１４の上端面、および、支持部材２５の支持部２７に載置されて支持されるとともに、支持部材２５の支持部２７、および、縦枠１２の外側部１３にネジなどの固定具で固定される。この天板２９の上面は、物を置くことができる台として使用可能である。これにより、室外機５０の上方のスペースを有効利用することができる。
【００２３】
上部ルーバー部材３０は、囲い枠１１の正面に組み付け可能な部材である。この上部ルーバー部材３０は、図６（ａ）に示すように、縦枠１２に組み付けられる一対の取付部３１と、取付部３１の間に架設された１本の上部ルーバー３２と、を備える。取付部３１は、上部ルーバー３２の長手方向に対して垂直に設けられた金属製の板状部材であり、上部ルーバー３２の両端部にネジなどの固定具で固定されている。また、上部ルーバー３２は、取付部３１の間に固定された長尺の金属製の板状部材である。
【００２４】
この上部ルーバー部材３０は、両端部の取付部３１が、正面の一対の縦枠１２の内側部１４にネジなどで固定される。これにより、正面の一対の縦枠１２の間に、水平方向に上部ルーバー３２が架設されるようになっている。また、上部ルーバー３２は、後述する風向ルーバー３８よりも上部に配置されるため、最上部のルーバーとなっている。
【００２５】
この上部ルーバー３２は、最上部に配置されることで、降雨時に雨が室外機用カバー１０の内側に入りにくくする庇の役割を果たしている。具体的には、この上部ルーバー３２は、図７および図８に示すように、外側に向かって下向きに傾斜しており（言い換えると、上部ルーバー３２の下端部は、上端部よりも外側に突出しており）、降雨時に雨を外側に誘導するように傾斜した状態で囲い枠１１に固定される。このような構成により、上部ルーバー３２に当たった雨が、上部ルーバー３２の表面に沿って室外機用カバー１０の外側へと誘導されるようになっている。
【００２６】
風向ルーバー部材３５，３６は、囲い枠１１の正面に組み付け可能な部材である。本実施形態においては、風向ルーバー部材は、第１風向ルーバー部材３５と、第２風向ルーバー部材３６と、の２部材から構成されている。このように風向ルーバー部材を２部材から構成することで、部材が大型化せず、搬送や取り扱いをしやすくすることができる。ただし、風向ルーバー部材は必ずしも２部材で構成されていなくてもよく、風向ルーバー部材を１部材で構成してもよいし、風向ルーバー部材を３部材以上で構成してもよい。
【００２７】
第１風向ルーバー部材３５は、図６（ｂ）に示すように、縦枠１２に組み付けられる一対の取付部３７と、取付部３７の間に架設された複数の風向ルーバー３８と、を備える。取付部３７は、風向ルーバー３８の長手方向に対して垂直に設けられた金属製の板状部材であり、風向ルーバー３８の両端部にネジなどの固定具で固定されている。また、風向ルーバー３８は、取付部３１の間に固定された長尺の金属製の板状部材である。
【００２８】
この第１風向ルーバー部材３５は、上部ルーバー部材３０の下方において、囲い枠１１の正面に組み付けられる。具体的には、両端部の取付部３７が、正面の一対の縦枠１２の内側部１４にネジなどで固定される。これにより、正面の一対の縦枠１２の間に、水平方向に風向ルーバー３８が架設されるようになっている。
【００２９】
また、第２風向ルーバー部材３６は、図６（ｃ）に示すように、縦枠１２に組付けられる一対の取付部３７と、取付部３７の間に架設された１本の風向ルーバー３８と、を備える。取付部３７は、風向ルーバー３８の長手方向に対して垂直に設けられた金属製の板状部材であり、風向ルーバー３８の両端部にネジなどの固定具で固定されている。また、風向ルーバー３８は、取付部３１の間に固定された長尺の金属製の板状部材である。
【００３０】
この第２風向ルーバー部材３６は、第１風向ルーバー部材３５の下方において、囲い枠１１の正面に組み付けられる。具体的には、両端部の取付部３７が、正面の一対の縦枠１２の内側部１４にネジなどで固定される。これにより、正面の一対の縦枠１２の間に、水平方向に風向ルーバー３８が架設されるようになっている。
【００３１】
ここで、上記した風向ルーバー３８は、降雨時に雨が室外機用カバー１０の内側に入りにくくするとともに、室外機５０からの排気の方向を誘導する役割を果たしている。そして、この風向ルーバー３８は、上部ルーバー３２の下方において室外機５０からの排気を上方または下方のいずれかに誘導するように傾斜しており、風向ルーバー部材３５，３６の左右または天地を入れ替えて縦枠１２に組み付けることで、風向ルーバー３８による排気の誘導方向を切り替え可能に構成されている。
【００３２】
例えば、風向ルーバー部材３５，３６を所定の方向（図４に示す方向）で縦枠１２に組み付けることで、図７に示すように、風向ルーバー３８が外側に向かって上向きに傾斜する（言い換えると、風向ルーバー３８の上端部は、下端部よりも外側に突出する）ように設置することができる。このように風向ルーバー部材３５，３６を組み付ければ、室外機５０からの排気は上方へと誘導されることになる。
【００３３】
一方、風向ルーバー部材３５，３６を上記した所定の方向とは左右または天地を入れ替えて（図４に示す状態から風向ルーバー部材３５，３６を１８０度回転させて）縦枠１２に組み付けると、図８に示すように、風向ルーバー３８が外側に向かって下向きに傾斜する（言い換えると、風向ルーバー３８の下端部は、上端部よりも外側に突出する）。このように風向ルーバー部材３５，３６を組み付ければ、室外機５０からの排気は下方へと誘導されることになる。
【００３４】
このように、本実施形態に係る風向ルーバー部材３５，３６は、左右または天地を入れ替えて縦枠１２に組み付け可能となっており、このように組み付け方を変えることで、排気を上方に誘導するか下方に誘導するかを切り替えられるようになっている。
【００３５】
なお、上記した上部ルーバー３２および風向ルーバー３８は、すべて同一形状で形成されており、かつ、互いに一定の間隔で配設されている。このため、図２等に示すように、外観上は上部ルーバー３２と風向ルーバー３８とが区別されないように構成されている。しかも、本実施形態に係る上部ルーバー部材３０と第２風向ルーバー部材３６とは、構造がまったく同じであるため、互いに流用することが可能であり、部品の共用化による製造コストの削減を可能としている。
【００３６】
以上説明したように、本実施形態によれば、降雨時に雨を外側に誘導するように傾斜した上部ルーバー３２を備える。すなわち、風向ルーバー３８よりも上部に設けられた上部ルーバー３２によって、降雨時に雨が室外機用カバー１０の内側に案内されないので、室外機５０のファンが雨に濡れて汚損されることを防止できる。
【００３７】
また、風向ルーバー部材３５，３６は、上部ルーバー３２の下方において室外機５０からの排気を上方または下方のいずれかに誘導するように傾斜した複数の風向ルーバー３８を備え、風向ルーバー部材３５，３６は、左右または天地を入れ替えて縦枠１２に組み付けることで、風向ルーバー３８による排気の誘導方向を切り替え可能に構成されている。このため、例えば室外機５０が戸建住宅のように開放空間に設置されている場合には、室外機５０からの排気を下方に誘導するように風向ルーバー３８を配置することができる。また、例えば室外機５０が集合住宅のベランダなどのような狭い空間に設置されている場合には、室外機５０からの排気を上方に誘導するように風向ルーバー３８を配置し、ベランダに排気が滞留しないようにすることができる。このように、本実施形態に係る室外機用カバー１０によれば、設置場所に応じて効率的な排気を選択することができる。
【００３８】
また、第１風向ルーバー部材３５は、縦枠１２に組付けられる一対の取付部３７と、取付部３７の間に架設された複数の風向ルーバー３８と、を備えている。このような構成によれば、１つの部材に複数の風向ルーバー３８が設けられているので、ルーバー部材の組み付け作業を簡便にすることができる。
【００３９】
また、上部ルーバー３２および風向ルーバー３８は、すべて同一形状で形成されるとともに、互いに一定の間隔で配設されている。このような構成によれば、機能の異なる２種類のルーバーが、外観上は区別されずに整然と配置されるので、すっきりとした外観を保つことができる。
【符号の説明】
【００４０】
１０  室外機用カバー
１１  囲い枠
１２  縦枠
１３  外側部
１４  内側部
１５  脚部
２０  補強材
２１  固定部
２２  架橋部
２５  支持部材
２６  プレート部
２７  支持部
２９  天板
３０  上部ルーバー部材
３１  取付部
３２  上部ルーバー
３５  第１風向ルーバー部材
３６  第２風向ルーバー部材
３７  取付部
３８  風向ルーバー
５０  室外機
【図１】
0003219089.tif 000003
【図２】
0003219089.tif 000004
【図３】
0003219089.tif 000005
【図４】
0003219089.tif 000006
【図５】
0003219089.tif 000007
【図６】
0003219089.tif 000008
【図７】
0003219089.tif 000009
【図８】
0003219089.tif 000010
【手続補正書】
【提出日】平成30年9月28日(2018.9.28)
【手続補正１】
【補正対象書類名】実用新案登録請求の範囲
【補正対象項目名】全文
【補正方法】変更
【補正の内容】
【実用新案登録請求の範囲】
【請求項１】
エアコンの室外機の周囲に配置可能な囲い枠と、
前記囲い枠の正面に組み付け可能な上部ルーバー部材と、
前記上部ルーバー部材の下方において、前記囲い枠の正面に組み付け可能な風向ルーバー部材と、
を備え、
前記上部ルーバー部材は、降雨時に雨を外側に誘導するように傾斜した上部ルーバーを備え、
前記風向ルーバー部材は、前記上部ルーバーの下方において室外機からの排気を上方または下方のいずれかに誘導するように傾斜した複数の風向ルーバーを備え、
前記風向ルーバー部材は、左右または天地を入れ替えて前記囲い枠の縦枠に組み付けることで、前記風向ルーバーによる排気の誘導方向を切り替え可能に構成されていることを特徴とする、エアコンの室外機用カバー。
【請求項２】
前記風向ルーバー部材は、前記縦枠に組付けられる一対の取付部と、前記取付部の間に架設された複数の前記風向ルーバーと、を備えることを特徴とする、請求項１記載のエアコンの室外機用カバー。
【請求項３】
前記上部ルーバーおよび前記風向ルーバーは、すべて同一形状で形成されるとともに、互いに一定の間隔で配設されていることを特徴とする、請求項１または２記載のエアコンの室外機用カバー。
【手続補正２】
【補正対象書類名】明細書
【補正対象項目名】０００７
【補正方法】変更
【補正の内容】
【０００７】
本考案は、上記した課題を解決するためになされたものであり、エアコンの室外機の周囲に配置可能な囲い枠と、前記囲い枠の正面に組み付け可能な上部ルーバー部材と、前記上部ルーバー部材の下方において、前記囲い枠の正面に組み付け可能な風向ルーバー部材と、を備え、前記上部ルーバー部材は、降雨時に雨を外側に誘導するように傾斜した上部ルーバーを備え、前記風向ルーバー部材は、前記上部ルーバーの下方において室外機からの排気を上方または下方のいずれかに誘導するように傾斜した複数の風向ルーバーを備え、前記風向ルーバー部材は、左右または天地を入れ替えて前記囲い枠の縦枠に組み付けることで、前記風向ルーバーによる排気の誘導方向を切り替え可能に構成されていることを特徴とする。